(57)【要約】【課題】ノズル領域にインクが付着するのを防ぐことが可能なキャップ部材及び流体噴射装置を提供すること。【解決手段】流体を噴射する複数のノズル開口を有する噴射ヘッドのうち前記複数のノズル開口が設けられたノズル領域を覆うキャップ部材であって、前記ノズル領域に対向して配置される底部及び前記底部の周縁に設けられて前記噴射ヘッドに当接させる枠部を有するキャップ部材本体と、前記底部に固定されて前記流体を吸収する吸収部材と、を備え、前記枠部の内側面に沿った内周部は、前記底部からの高さ位置が前記吸収部材の上面に対して低く形成された溝部となっている。【選択図】図３
2009073018.tif 000002
【特許請求の範囲】
【請求項１】
流体を噴射する複数のノズル開口を有する噴射ヘッドのうち前記複数のノズル開口が設けられたノズル領域を覆うキャップ部材であって、
前記ノズル領域に対向して配置される底部及び前記底部の周縁に設けられて前記噴射ヘッドに当接させる枠部を有するキャップ部材本体と、
前記底部に対して固定されて前記流体を吸収する吸収部材と、
を備え、
前記枠部の内側面に沿った内周部は、前記底部からの高さ位置が前記枠部の全周に渡って前記吸収部材の上面に対して低く形成された溝部となっている
ことを特徴とするキャップ部材。
【請求項２】
前記底部には、前記溝部に対応する位置に吸引用の開口部が設けられている
ことを特徴とする請求項１に記載のキャップ部材。
【請求項３】
前記吸収部材は、前記枠部内の平面視中央部に前記枠部との間に所定の間隔をあけて配置され、
前記噴射ヘッドと前記キャップ部材本体が当接した際、前記溝部に存在する気泡が前記液体噴射ヘッドに当接しない
ことを特徴とする請求項１又は請求項２に記載のキャップ部材。
【請求項４】
前記吸収部材は、前記枠部内の平面視中央部に前記枠部との間に所定の間隔をあけて配置され、
前記噴射ヘッドと前記キャップ部材本体が当接した際、前記溝部に存在する気泡の最大幅が前記溝部よりも小さい
ことを特徴とする請求項１乃至請求項３のいずれか一項に記載のキャップ部材。
【請求項５】
前記吸収部材は、前記枠部内の略全面に設けられる第１吸収層と、前記第１吸収層に積層されると共に前記第１吸収層の平面視中央部に配置される第２吸収層と、を有し、
前記溝部は、前記枠部、前記第１吸収層及び前記第２吸収層で囲まれる部分である
ことを特徴とする請求項１乃至請求項４のいずれか一項に記載のキャップ部材。
【請求項６】
前記吸収部材は、前記枠部内の平面視中央部に前記枠部との間に所定の間隔をあけて配置され、
前記溝部は、前記枠部、前記底部及び前記吸収部材で囲まれる部分である
ことを特徴とする請求項１乃至請求項４のいずれか一項に記載のキャップ部材。
【請求項７】
流体を噴射する複数のノズル開口を有する噴射ヘッドと、前記流体噴射ヘッドのうち前記複数のノズル開口が設けられたノズル領域を覆うキャップ部材と、を備えた流体噴射装置であって、
前記キャップ部材として、請求項１乃至請求項６のうちいずれか一項に記載のキャップ部材を用いる
ことを特徴とする流体噴射装置。
【発明の詳細な説明】
【技術分野】
【０００１】
本発明は、キャップ部材及び流体噴射装置に関する。
【背景技術】
【０００２】
流体を噴射する流体噴射装置として、例えばインクジェット式記録装置などが知られている。インクジェット式記録装置は、記録媒体に文字や画像等を記録する装置であり、記録ヘッド（噴射ヘッド）に設けられたノズルから記録媒体にインクが噴射される構成になっている。このインクジェット式記録装置には、ノズルの噴射特性を維持するためのメンテナンス機構が設けられている。メンテナンス機構の構成要素として、例えば、ノズル内の乾燥防止のためキャップ部材が挙げられる。キャップ部材には、記録ヘッドのノズル領域を囲う枠部が設けられており、この枠部内の全面にインクを吸収させる吸収部材が設けられている。  
【特許文献１】特開２００２−１１８６４号公報
【発明の開示】
【発明が解決しようとする課題】
【０００３】
しかしながら、枠部内の全面に吸収部材を配置する構成では、キャップ部材によってノズル領域を覆ったときに、ノズルに残っているインクが吸収部材を伝わり枠部に付着する虞がある。枠部にインクが付着した状態のキャップ部材によってノズル領域を覆うと、枠部のインクがノズル領域に付着してしまう。
【０００４】
以上のような事情に鑑み、本発明の目的は、ノズル領域に流体が付着するのを防ぐことが可能なキャップ部材及び流体噴射装置を提供することにある。
【課題を解決するための手段】
【０００５】
上記目的を達成するため、本発明に係るキャップ部材は、流体を噴射する複数のノズル開口を有する噴射ヘッドのうち前記複数のノズル開口が設けられたノズル領域を覆うキャップ部材であって、前記ノズル領域に対向して配置される底部及び前記底部の周縁に設けられて前記噴射ヘッドに当接させる枠部を有するキャップ部材本体と、前記底部に対して固定されて前記流体を吸収する吸収部材と、を備え、前記枠部の内側面に沿った内周部は、前記底部からの高さ位置が前記枠部の全周に渡って前記吸収部材の上面に対して低く形成された溝部となっていることを特徴とする。
【０００６】
本発明によれば、底部と枠部とを有するキャップ部材本体のうち枠部の内側面に沿った内周部は、底部からの高さ位置が吸収部材の上面に対して低く形成された溝部となっているので、当該溝部に流体を収容することができる。これにより、流体がキャップ部材本体を伝わるのを回避することができるため、ノズル領域に流体が付着するのを防ぐことができる。
【０００７】
上記のキャップ部材は、前記底部には、前記溝部に対応する位置に吸引用の開口部が設けられていることを特徴とする。  
本発明によれば、キャップ部材本体の底部には、溝部に対応する位置に吸引用の開口部が設けられているので、キャップ部材本体内の流体を吸引することによって、流体が溝部に寄せられることになる。このように流体を溝部内に積極的に収容させる構成により、ノズル領域に流体が付着するのを一層効果的に防止することができる。
【０００８】
上記のキャップ部材は、前記吸収部材は、前記枠部内の平面視中央部に前記枠部との間に所定の間隔をあけて配置され、前記噴射ヘッドと前記キャップ部材本体が当接した際、前記溝部に存在する気泡が前記液体噴射ヘッドに当接しないを特徴とする。
【０００９】
さらに、前記噴射ヘッドと前記キャップ部材本体が当接した際、前記溝部に存在する気泡の最大幅が前記溝部よりも小さいことを特徴とする。  
本発明によれば、吸収部材が枠部内の平面視中央部に枠部との間に所定の間隔をあけて配置され、溝部が枠部、底部及び吸収部材で囲まれる部分であることとしたので、枠部と吸収部材との間に形成される溝部の深さを深くすることができる。これにより、流体を確実に溝部内に収容することができる。
【００１０】
上記のキャップ部材は、前記吸収部材は、前記枠部内の略全面に設けられる第１吸収層と、前記第１吸収層に積層されると共に前記第１吸収層の平面視中央部に配置される第２吸収層と、を有し、前記溝部は、前記枠部、前記第１吸収層及び前記第２吸収層で囲まれる部分であることを特徴とする。  
本発明によれば、吸収部材が枠部内の略全面に設けられる第１吸収層と、第１吸収層に積層されると共に第１吸収層の平面視中央部に配置される第２吸収層とを有し、溝部が、枠部、第１吸収層及び第２吸収層で囲まれる部分であることとしたので、溝部に収容された流体を第２吸収層によって吸収することができる。このように、溝部内の流体を吸収することによって当該流体がキャップ部材本体を伝わるのをより確実に回避することができる。
【００１１】
上記のキャップ部材は、前記吸収部材は、前記枠部内の平面視中央部に前記枠部との間に所定の間隔をあけて配置され、前記溝部は、前記枠部、前記底部及び前記吸収部材で囲まれる部分であることを特徴とする。  
本発明によれば、吸収部材が枠部内の平面視中央部に枠部との間に所定の間隔をあけて配置され、溝部が枠部、底部及び吸収部材で囲まれる部分であることとしたので、枠部と吸収部材との間に形成される溝部の深さを深くすることができる。これにより、流体を確実に溝部内に収容することができる。
【００１２】
本発明に係る流体噴射装置は、流体を噴射する複数のノズル開口を有する噴射ヘッドと、前記流体噴射ヘッドのうち前記複数のノズル開口が設けられたノズル領域を覆うキャップ部材と、を備えた流体噴射装置であって、前記キャップ部材として、請求項１から請求項６のうちいずれか一項に記載のキャップ部材を用いることを特徴とする。
【００１３】
本発明によれば、流体を噴射する複数のノズル開口を有する噴射ヘッドと、流体噴射ヘッドのうち複数のノズル開口が設けられたノズル領域を覆うキャップ部材とを備えたており、上記のキャップ部材を用いることとしたので、噴射ヘッドに流体が付着するのを防ぐことができ、噴射ヘッドの洗浄等、メンテナンスの負担が軽減されることになる。
【発明を実施するための最良の形態】
【００１４】
以下、図面をもとにして本発明の実施の形態を説明する。以下の説明に用いる各図面では、各部材を認識可能な大きさとするため、各部材の縮尺を適宜変更している。本実施形態では、本発明に係る流体噴射装置として、インクジェット式プリンタを例示して説明する。
【００１５】
図１は、本実施形態に係るプリンタ１の構成を概略的に示す斜視図である。  
同図に示すように、プリンタ１は、液体噴射ヘッドの一種であるヘッド２を搭載すると共に液体貯留部材の一種であるインクカートリッジ３を着脱可能に装着するキャリッジ４と、ヘッド２の下方に配設され記録紙６が搬送されるプラテン５と、キャリッジ４を記録紙６の紙幅方向に移動させるキャリッジ移動機構７と、記録紙６を紙送り方向に搬送する紙送り機構８とを有する構成となっている。また、プリンタ１全体の動作を制御する制御装置（図示しない）が設けられている。上記紙幅方向とは、主走査方向（ヘッド走査方向）である。上記紙送り方向とは、副走査方向（主走査方向に直交する方向）である。
インクカートリッジ３としては、本実施形態のようにキャリッジ４に装着するものには限らず、プリンタ１の筐体側に装着してインク供給チューブを介してヘッド２に供給するタイプのものを採用してもよい。
【００１６】
ガイドロッド９は、主走査方向に架設された支持部材である。キャリッジ４は、このガイドロッド９に支持された状態で取り付けられている。このキャリッジ４は、キャリッジ移動機構７によりガイドロッド９に沿って主走査方向に移動するようになっている。リニアエンコーダ１０は、キャリッジ４の主走査方向上の位置を検出する。この検出信号は、位置情報として制御部（図示せず）に送信されるようになっている。制御部は、このリニアエンコーダ１０からの位置情報に基づいてヘッド２の走査位置を認識し、ヘッド２による記録動作（吐出動作）等を制御するようになっている。
【００１７】
ヘッド２の移動範囲のうちプラテン５の外側の領域には、ヘッド２の走査起点となるホームポジションが設定されている。このホームポジションには、キャッピング機構１１が設けられている。キャッピング機構１１は、キャップ部材６０によってヘッド２のノズル開口形成面を封止し、インク溶媒の蒸発を防止する。このキャッピング機構１１は、封止状態のノズル開口面に負圧を与えてインクを強制的に吸引排出するクリーニング動作等にも用いられる。
【００１８】
図２は、ヘッド２の構成を概略的に示す断面図である。  
同図に示すように、ヘッド２は、インク導入針１３を立設する導入針ユニット１４と、複数の圧電振動子１５を有する振動子ユニット１６と、インク流路が形成された流路ユニット１７と、振動子ユニット１６や流路ユニット１７が固定されるヘッドケース１８と、ガラスエポキシからなり圧電振動子１５に駆動信号を供給するための回路基板２８とを有する構成になっている。
【００１９】
インク導入針１３は、合成樹脂で成型された中空針状の部材である。インク導入針１３の内部空間は、図示しないインクカートリッジやサブタンク等の液体貯留部材内のインクが導入される針流路２０となっている。インク導入針１３の尖端部分には、針流路２０との間で連通する導入孔２１が設けられている。インク導入針１３が液体貯留部材の内部に挿入された状態において、この導入孔２１を通じて液体貯留部材内のインクが針流路２０内に導入されるようになっている。
【００２０】
導入針ユニット１４は、インク導入針１３と同様に合成樹脂によって成型されている。
導入針ユニット１４の内部には、インク導入針１３に対応したインク導入路２２が形成されている。インク導入路２２の上流端部は、導入針の取り付け位置に向けて徐々に拡径された形状になっている。インク導入路２２の開口部分には、インク内の異物を除去するフィルタ２３が設けられている。針流路２０の下側の開口とインク導入路２２の上側の開口とが平面視で重なるようにインク導入針１３が導入針ユニット１４上に固定されており、導入針ユニット１４のインク導入路２２とインク導入針１３の針流路２０とがフィルタ２３を介して連通するようになっている。
【００２１】
振動子ユニット１６は、圧電振動子１５と、当該圧電振動子１５が接合される固定板２７と、上記回路基板２８からの駆動信号を圧電振動子１５に供給するフレキシブル基板２９とを有している。圧電振動子１５は、圧電体を電極で挟んで積層し、細長い櫛歯状に切り分けられた積層型の圧電振動子である。この圧電振動子１５は、縦方向に伸縮可能な縦振動方式の圧電振動子として構成されている。各圧電振動子１５は、固定端部が固定板２７上に接合されており、自由端部が固定板２７の先端縁よりも外側に突出した状態になっている。
【００２２】
圧電振動子１５の表面には、個別外部電極３０と共通外部電極３１とが設けられている。個別外部電極３０は、圧電振動子１５の先端面部と、圧電振動子１５における積層方向の一側面である配線接続面（フレキシブル基板２９が接続される面）とに亘って形成された電極であり、圧電振動子１５内部の個別内部電極（図示せず）に電気的に接続されている。共通外部電極３１は、圧電振動子１５の基端面部と、圧電振動子１５における積層方向の他側面である固定板取付面とに亘って形成された電極であり、圧電振動子１５内部の共通内部電極（図示せず）に電気的に接続されている。
【００２３】
これらの外部電極のうち、一方の個別外部電極３０はフレキシブル基板２９の個別端子に電気的に接続されており、他方の共通外部電極３１はフレキシブル基板２９の接地端子に電気的に接続されている。フレキシブル基板２９からの駆動信号が個別外部電極３０を介して圧電振動子１５に供給され、個別外部電極３０と共通外部電極３１との電位差により圧電体が変形するようになっている。
【００２４】
流路ユニット１７は、ノズルプレート３３と、流路形成基板３４と、封止板３５とを有しており、これらノズルプレート３３、流路形成基板３４及び封止板３５が一体的に網けられた構成になっている。この流路ユニット１７は、ノズルプレート３３が流路形成基板３４の一方の表面に配置され、封止板３５がノズルプレート３３とは反対側となる流路形成基板３４の他方の表面に配置されている。
【００２５】
ノズルプレート３３は、ノズル領域３３ａに複数のノズル開口３７を列状に開設したステンレス鋼製の薄い板材である。流路形成基板３４は、例えばシリコンウェハーから作製された板状部材であり、共通インク室３８、インク供給口３９及び圧力室４０からなる一連のインク流路となる流路基部を有している。圧力室４０は、ノズル開口３７の配列方向（ノズル開口列方向）に直交する方向が長手方向になっている。インク供給口３９は、圧力室４０と共通インク室３８との間を連通する流路幅の狭い狭窄部（オリフィス）として形成されている。共通インク室３８は、インク導入針１３から導入されインク導入路２２及びケース流路２５を介して供給されるインクを一時的に貯留する室である。共通インク室３８に貯留されたインクは、インク供給口３９を介して各圧力室４０に供給されるようになっている。
【００２６】
封止板３５は、ＰＰＳ（ポリフェニレンサルファイド）等の絶縁性を有する可撓性フィルムから作製された弾性体膜４６をステンレス鋼等の導電性を有する支持基板４５にラミネート加工した二重構造の複合板材である。弾性体膜４６側の面が流路形成基板３４に、支持基板４５側の面がヘッドケース１８の底面に、それぞれ接合されるようになっている。この封止板３５は、圧力室４０の一方の開口面を封止してこの圧力室４０の容積を変動させるためのダイヤフラム部４７が形成されている。ダイヤフラム部４７は、圧電振動子１５の先端面を接合するための島部４９が各圧力室４０に対応して設けられている。島部４９は、ノズル開口３７の列設方向と直交する方向に細長いブロック状に形成されている。
【００２７】
ヘッドケース１８は、合成樹脂製の中空のブロック状部材であり、流路ユニット１７に接合されている。ヘッドケース１８の内部には、振動子ユニット１６を収容する収容室５３と、導入針ユニット１４側からのインクを流路ユニット１７側に供給するケース流路２５とが設けられている。収容室５３は、ヘッドケース１８の高さ方向を貫通するように、流路ユニット取付面となるヘッドケース１８の底面から導入針ユニット１４や回路基板２８が取り付けられる上面に亘って形成されている。収容室５３の底面開口内には、封止板３５のダイヤフラム部４７が配置されている。ケース流路２５は、インク導入穴５０を介して上記共通インク室３８に連通する状態になっている。ヘッドケース１８の底面は、封止板３５の支持基板４５側の面に接着されている。
【００２８】
このヘッドケース１８には、パッキン２４を介在させた状態で導入針ユニット１４が取り付けられている。導入針ユニット１４のインク導入路２２は、このパッキン２４を介してヘッドケースのケース流路２５と連通されている。  
また、ヘッドケース１８の上面には、回路基板２８が配置されている。この回路基板２８は、接合部７０においてフレキシブル基板２９に接合されている。
【００２９】
図３は、キャッピング機構１１の一部であるキャップ部材６０の構成を示す側面図である。図４は、図３におけるＡ−Ａ断面に沿った図（図４（ａ））及び図３におけるＢ−Ｂ断面に沿った図（図４（ｂ））である。  
これらの図に示すように、キャップ部材６０は、ヘッド２のノズル形成領域の一部を覆うキャップ部材本体６１と、キャップ部材本体６１内に固定された吸収部材６４とを備えた構成となっている。
【００３０】
キャップ部材本体６１は、例えばプラスチックなどの樹脂からなり、底部６２及び枠部６３を有している。底部６２は、平面視矩形に形成されており、ヘッド２に対向配置されるようになっている。枠部６３は、底部６２の周縁に設けられており、枠部６３の上端には例えばエラストマなどから構成されるシール部材６３ａが設けられている。当該シール部材６３ａがヘッド２に当接するようになっている。
【００３１】
吸収部材６４は、第１吸収層６４ａ及び第２吸収層６４ｂを有する２層構造になっており、第１吸収層６４ａと第２吸収層６４ｂとがキャップ部材本体６１の底部６２に順に積層された構成になっている。この吸収部材６４は、例えば固定ピン６５及び押さえ部材６６によって当該底部６２に固定されている。
【００３２】
第１吸収層６４ａは、例えば枠部６３によって囲まれた底部６２上の領域全面に亘って敷き詰められており、平面視矩形になっている。第２吸収層６４ｂは、枠部６３の内側面６３ｂに沿った内周部６３ｃを空けるように第１吸収層６４ａの平面視中央部に配置されており、平面視矩形になっている。第２吸収層６４ｂは、角部４箇所に１つずつ、第２吸収層６４ｂの長辺の中央部に１つずつ、当該第２吸収層６４ｂの平面視中央部に向けて凹んだ凹部が設けられている。枠部６３、第１吸収層６４ａ及び第２吸収層６４ｂによって囲まれた部分（枠部６３の内周部６３ｃ）は、底部６２からの高さ位置が第２吸収層６４ｂの上面６４ｃよりも低くなっており、この部分がキャップ部材６０の溝部６９となっている。
【００３３】
固定ピン６５は、第１吸収層６４ａを貫通するように設けられており、底部６２に固定されている。当該固定ピン６５は、第２吸収層６４ｂの凹部の位置に設けられており、第２吸収層６４の凹部に外側から内側へと押さえつけるように固定している。例えば図３においては、固定ピン６５は、第２吸収層６４ｂの角部４箇所に１つずつ、第２吸収層６４ｂの長辺の中央部に１つずつ、計６つが配置されている。押さえ部材６６は、例えば針金等からなる線状部材である。この押さえ部材６６は、各固定ピン６５に例えば熱かしめによって接合されており、第２吸収層６４ｂの上面６４ｃから底部６２側へ当該第２吸収層６４ｂを押さえるように各固定ピン６５の間に設けられている。
【００３４】
底部６２には、上記溝部６９に対応する位置、すなわち、溝部６９に重なる位置に、吸引用の開口部６７が設けられている。開口部６７は、例えばキャップ部材本体６１の一方の長辺に沿った部分に２箇所設けられている。この開口部６７は、溝部６９に重なる位置であれば１箇所又は３箇所以上配置しても構わないし、他の位置に配置しても構わない。底部６２の下面６３ｄ側には、当該開口部６７に接続される吸引管６８が設けられている。
【００３５】
図５は、キャップ部材６０に連結された吸引ポンプの構成を示す図である。  
インク排出部４１は、キャップ部材６０に接続してキャップ部材６０内に溜まったインクを排出するインク排出流路、キャップ部材６０に溜まったインクをインク排出流路内に吸引するための吸引ポンプ７２等を備えている。
【００３６】
吸引管６８の下端には、上記インク排出流路として機能する可撓性材料等からなる排出チューブ７３の各分岐端部が接続されており、排出チューブ７３の他端部は、廃液タンク７４内に挿入されている。排出チューブ７３は、キャップ部材６０がヘッド２に沿って移動するために十分な長さを有している。廃液タンク７４内には、多孔質部材からなる廃液吸収材７５が収容されており、この廃液吸収材７５により回収されたインクＤが吸収されるようになっている。
【００３７】
吸引管６８と廃液タンク７４間には、チューブポンプ式の吸引ポンプ７２が配設されている。吸引ポンプ７２は、円筒状のケース７６を有しており、このケース７６内には平面視で円形状をなすポンプホイル７７がケース７６の軸心に設けられたホイル軸７８を中心に回動可能に収容されている。そして、このケース７６内に、排出チューブ７３の中間部７３ａがケース７６の内周壁７６ａに沿うようにして収容されている。
【００３８】
ポンプホイル７７には、一対の外側に膨らむ円弧状をなすローラ案内溝７９，８０がホイル軸７８を挟んで対向するように形成されている。各ローラ案内溝７９，８０は、一端がポンプホイル７７の外周側に位置しており、他端がポンプホイル７７の内周側に位置している。すなわち、両ローラ案内溝７９，８０は、それらの一端から他端に向かうほど、徐々にポンプホイル７７の外周部から遠ざかるように延びている。
【００３９】
両ローラ案内溝７９，８０内には、押圧手段としての一対のローラ８１、８２が、それぞれ回動軸８１ａ，８２ａを介して挿通支持されている。なお、両回動軸８１ａ，８２ａは、それぞれ両ローラ案内溝５３，５４内を摺動自在になっている。
【００４０】
そして、ポンプホイル７７を、正方向（矢印方向）に回動させると、両ローラ８１、８２が両ローラ案内溝７９，８０の一端側（ポンプホイル７７の外周側）に移動し、排出チューブ７３の中間部７３ａを上流側から下流側へ順次押し潰しながら（押圧しながら）回動するようになっている。この回動により、吸引ポンプ７２より上流側の排出チューブ７３の内部が減圧されるようになっている。
【００４１】
次に、上述の構成を有するプリンタ１の動作の一例を説明する。ここでは、吸引動作を含むメンテナンス部の動作を中心に説明する。  
外部から印刷データが送信されると、制御装置は、ドットパターンに対応した噴射データに展開してヘッド２に送信する。そして、ヘッド２では、受信した噴射データに基づき、記録（印字・印刷）処理、すなわち記録紙に対するインク滴Ｄの噴射を実行する。
【００４２】
記録処理の後、動作を継続すると判断した場合、予め設定されている時間が経過すると、定期メンテナンス処理を開始する。また、記録処理の後、動作を継続しないと判断した場合、プリンタ１の処理を終了する。以下、動作を継続すると判断した場合について、説明する。
【００４３】
定期メンテナンス処理が開始されると、ヘッド２をメンテナンス位置まで下降させ、ヘッド２とキャップ部材６０のシール部材６３ａとが対向するように、キャップ部材６０にヘッド２を近接させる。この状態で、図６に示すように、キャップ部材６０のシール部材６３ａをヘッド２に当接させる。これにより、キャップ部材６０とヘッド２との間には密閉された空間Ｋが形成され、キャップ部材６０によってノズル領域３３ａが覆われた状態になる。
【００４４】
続いて、キャップ部材６０をヘッド２に沿って移動させる。キャップ部材６０の移動と同時に吸引ポンプ７２を駆動させ、空間Ｋを負圧状態とし、これによってヘッド２の内部からインクを吸引する。空間Ｋを負圧状態にすることで、ヘッド２内のインクＤが排出される。排出されたインクＤは、吸収部材６４によって吸収されると共に、開口部６７が設けられた溝部６９内に吸い寄せられる。また、吸収部材６４の表面を伝わって溝部６９内に収容される。特に、吸引動作によって吸い寄せられたインクＤは気泡の状態になっていることがあり、この場合には当該気泡状態のインクＤが収容されることになる。なお、気泡状態のインクＤの一部は、シール部材６３ａがヘッド２に当接した際の当接面に対して、接触しないことが好ましい。言い換えれば、気泡状態のインクＤの一部が、シール部材６３ａにヘッド２が当接した場合の当接面となる平面よりも、ヘッド２側にはみ出さないことが望ましい。接触することで気泡状態のインクＤが破裂し、ヘッド２表面にその一部のインクが付着し、また、ノズル内のメニスカスを破壊する等の不具合を発生させるが、上記の関係であれば、前記不具合は発生しない。さらには、気泡状態のインクＤの直径、あるいは最大幅が、溝部６９の幅よりも小さいことが望ましい。前記関係であれば、気泡状態のインクＤが、ヘッド２とキャップ部材６０とが当接する際の衝撃により、破裂したとしても、ヘッド２表面にその一部のインクが付着することはなく、当然に、ノズル内のメニスカスを破壊する等の不具合は発生しないという効果が生ずる。また、吸引動作を続けることにより、この溝部６９に収容されたインクＤは第２吸収層６４ｂによって吸収され、開口部６７を介してキャップ部材６０から排出されることになる。
【００４５】
その後、吸引ポンプ７２を逆駆動することによって、キャップ部材６０とヘッド２との間に形成されている負圧の空間Ｋを大気開放する。吸引ポンプ７２を逆駆動することによってキャップ部材６０とヘッド２との間に空気が流入し、大気開放される。大気開放の後、ヘッド２を上昇させてキャップ部材６０を離間させる。その後、制御装置は、ヘッド２を用いて記録紙に対する記録動作を再開する。一方、保湿動作を行う場合には、制御装置は、フラッシング動作等によってキャップ部材６０内にインクＤを貯留した状態にて、上記動作を行うようにする。
【００４６】
このように、本実施形態によれば、底部６２と枠部６３とを有するキャップ部材本体６１のうち枠部６３の内側面６３ｂに沿った内周部６３ｃは、底部６２からの高さ位置が吸収部材６４の上面に対して低く形成された溝部６９となっているので、当該溝部６９にインクＤなどの廃液を収容することができる。これにより、廃液がキャップ部材本体６１を伝わるのを回避することができるため、ノズル領域３３ａに流体が付着するのを防ぐことができる。
【００４７】
また、吸収部材６４が枠部６３内の略全面に設けられる第１吸収層６４ａと、第１吸収層６４ａに積層されると共に第１吸収層６４ａの平面視中央部に配置される第２吸収層６４ｂとを有し、溝部６９が、枠部６３、第１吸収層６４ａ及び第２吸収層６４ｂで囲まれる部分であることとしたので、溝部６９に収容されたインクＤなどの廃液を第２吸収層６４ｂによって吸収することができる。このように、溝部６９内の廃液を吸収することによって当該廃液がキャップ部材本体６１を伝わるのをより確実に回避することができる。
【００４８】
本発明の技術範囲は上記実施形態に限定されるものではなく、本発明の趣旨を逸脱しない範囲で適宜変更を加えることができる。  
例えば、第１吸収層６４ａを枠部６３で囲まれた領域全面に設けるのではなく、図７に示すように、吸収部材６４が枠部６３内の平面視中央部に枠部６３との間に所定の間隔をあけて配置する、例えば第２吸収層６４ｂと平面視で重なる領域に設けるようにしても構わない。この構成によれば、枠部６３と吸収部材６４との間に形成される溝部６９の深さを深くすることができる。これにより、インクＤを確実に溝部６９内に収容することができる。また、図７に示すように、吸引用の開口部６７を溝部６９内に設けることによって、吸引動作の際には溝部６９内のインクＤを迅速に吸引することができるという利点もある。
【００４９】
また、上記実施形態においては、ヘッド２を上下に移動させることによって、ヘッド２とキャップ部材６０との相対移動を実現する構成について説明したが、これに限られることは無い。例えば、キャップ部材６０を上下に移動させることによって、ヘッド２とキャップ部材６０との相対移動を実現させても良い。
【００５０】
また上記実施形態においては、ヘッド２が、各色（Ｙ，Ｍ，Ｃ，Ｋ１，Ｋ２）に対応する５つのヘッドを備えていてもよい。また、本発明は、ヘッド方式のインクジェットプリンタに限られるものではなく、シリアル方式のインクジェットプリンタに適用することも可能である。また、上記実施形態においては、インクジェット式記録装置がインクジェット式プリンタである場合を例にして説明したが、インクジェット式プリンタに限られず、複写機及びファクシミリ等の記録装置であってもよい。
【００５１】
また、上述の各実施形態においては、流体噴射装置が、インク等の流体を噴射する流体噴射装置（流体噴射装置）である場合を例にして説明したが、本発明の流体噴射装置は、インク以外の他の流体を噴射したり吐出したりする流体噴射装置に適用することができる。流体噴射装置が噴射可能な流体は、液体、機能材料の粒子が分散又は溶解されている液状体、ジェル状の流状体、流体として流して噴射できる固体、及び粉体（トナー等）を含む。
【００５２】
また、上述の各実施形態において、流体噴射装置から噴射される流体としては、インクのみならず、特定の用途に対応する流体を適用可能である。流体噴射装置に、その特定の用途に対応する流体を噴射可能な噴射ヘッドを設け、その噴射ヘッドから特定の用途に対応する流体を噴射して、その流体を所定の物体に付着させることによって、所定のデバイスを製造可能である。例えば、本発明の流体噴射装置（流体噴射装置）は、液晶ディスプレイ、ＥＬ（エレクトロルミネッセンス）ディスプレイ、及び面発光ディスプレイ（ＦＥＤ）の製造等に用いられる電極材、色材等の材料を所定の分散媒（溶媒）に分散（溶解）した流体を噴射する流体噴射装置に適用可能である。
【００５３】
また、流体噴射装置としては、バイオチップ製造に用いられる生体有機物を噴射する流体噴射装置、精密ピペットとして用いられ試料となる流体を噴射する流体噴射装置であってもよい。
【００５４】
さらに、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置、ジェルを噴射する流状体噴射装置、トナーなどの粉体を例とする固体を噴射するトナージェット式記録装置であってもよい。そして、これらのうちいずれか一種の流体噴射装置に本発明を適用することができる。
【図面の簡単な説明】
【００５５】
【図１】本発明の一実施形態に係るプリンタの概略構成図。
【図２】ヘッド周辺の要部平面図。
【図３】キャップ部材の平面図。
【図４】キャップ部材の断面図。
【図５】吸引ポンプの概略構成図。
【図６】インクジェットプリンタにおけるメンテナンス動作を説明する説明図。
【図７】本発明に係るキャップ部材の他の構成を示す断面図。
【符号の説明】
【００５６】
１…プリンタ  ２…ヘッド  ６０…キャップ部材  ６１…キャップ部材本体  ６２…底部  ６３…枠部  ６３ａ…シール部材  ６３ｂ…内側面  ６３ｃ…内周部  ６３ｂ…内周部  ６４…吸収部材  ６４ａ…吸収層  ６４ｂ…吸収層  ６４ｃ…上面  ６５…固定ピン  ６６…押さえ部材  ６７…開口部  ６９…溝部
【図１】
2009073018.tif 000003
【図２】
2009073018.tif 000004
【図３】
2009073018.tif 000005
【図４】
2009073018.tif 000006
【図５】
2009073018.tif 000007
【図６】
2009073018.tif 000008
【図７】
2009073018.tif 000009